(57)【要約】【課題】取付け時には手を離しても緩まずに取り付けることができ、取外し時には容易に取り外すことができる血圧計の腕帯を提供する。【解決手段】血圧計の腕帯（１０）は、空気袋を内蔵した帯状体（１１）と、帯状体の長手方向の一端部側に設けられ、帯状体の長手方向の他端部が挿入される環状の留め金具（１２）と、帯状体の一端部と留め金具との間に設けられた突起部（１４）とを有し、帯状体の他端部が留め金具に挿入され、留め金具を挟んで帯状体が折り返されたときに、留め金具は突起部に向けて倒され、かつ突起部との間で帯状体を保持し、折返しをやめたときに、留め金具は突起部に対して持ち上げられて帯状体を解放する。【選択図】図１
2015188666.tif 000002
【特許請求の範囲】
【請求項１】
空気袋を内蔵した帯状体と、
前記帯状体の長手方向の一端部側に設けられ、前記帯状体の長手方向の他端部が挿入される環状の留め金具と、
前記帯状体の前記一端部と前記留め金具との間に設けられた突起部と、を有し、
前記帯状体の前記他端部が前記留め金具に挿入され、前記留め金具を挟んで前記帯状体が折り返されたときに、前記留め金具は前記突起部に向けて倒され、かつ前記突起部との間で前記帯状体を保持し、前記折返しをやめたときに、前記留め金具は前記突起部に対して持ち上げられて前記帯状体を解放する、
ことを特徴とする血圧計の腕帯。
【請求項２】
前記突起部は、前記留め金具に沿って前記帯状体の幅方向に設けられている、請求項１に記載の血圧計の腕帯。
【請求項３】
前記突起部は、前記留め金具が取り付けられている位置における前記帯状体の凸部以上の高さを有する、請求項１または２に記載の血圧計の腕帯。
【請求項４】
前記留め金具は、前記帯状体の前記凸部以上の高さの位置で前記突起部に接触する、請求項３に記載の血圧計の腕帯。
【請求項５】
空気袋を内蔵した帯状体と、
前記帯状体の長手方向の一端部側に設けられ、前記帯状体の長手方向の他端部が挿入される環状の留め金具と、
前記帯状体の前記一端部と前記留め金具との間に設けられた突起部と、を有し、
前記留め金具は、前記帯状体の面に対する角度を変更可能であり、前記突起部に向けて倒されたときに前記突起部に接触する、
ことを特徴とする血圧計の腕帯。
【請求項６】
空気袋を内蔵した帯状体、および前記帯状体の面に対する角度を変更可能に前記帯状体の長手方向の一端部側に設けられ前記帯状体の長手方向の他端部が挿入される環状の留め金具を有する血圧計の腕帯に装着される装着部品であって、
前記帯状体に装着されたときに、前記帯状体の前記一端部に向けて倒された前記留め金具に接触する位置に配置される突起部を有することを特徴とする装着部品。
【請求項７】
請求項１〜５のいずれか一項に記載の腕帯を有する血圧計。
【発明の詳細な説明】
【技術分野】
【０００１】
本発明は、血圧計の腕帯、装着部品および血圧計に関する。
【背景技術】
【０００２】
一般的な血圧計は、空気袋を内蔵した腕帯（カフともいう）、空気管を介してその空気袋と連通した圧力センサ、加圧ポンプおよび排気弁、血圧値を算出する制御部、操作スイッチ、ならびに表示部などで構成される。オシロメトリック方式の血圧計では、例えば使用者の上腕に腕帯を巻き付け、腕帯内に空気を送り込んで腕の締め付け圧を上げ、動脈からの脈波が消失するところまで加圧させる。そして、一定流速で減圧した際の脈波の出現と消失の間の波高状態から、血圧値を算出する。
【０００３】
こうした血圧計に用いられる腕帯として、空気袋を外布と内布で挟んだ略長方形状の帯状体と、帯状体の長手方向の一端部に取り付けられた環状の留め金具と、留め金具に挿入されて折り返された帯状体の他端部を固定する面ファスナとを有するものが知られている（例えば、特許文献１，２を参照）。
【０００４】
図９は、従来の腕帯１００を腕に巻き付けるときの状態を示す斜視図である。腕帯１００は、空気袋（図示せず）を内蔵した帯状体１０１と、帯状体１０１の長手方向の一端部に取り付けられた環状の留め金具１０２と、帯状体１０１の他端部を固定する面ファスナ１０３とを有する。腕帯１００を腕に巻き付けるには、図９に示すように、まず、留め金具１０２に帯状体１０１の他端部を挿入させて環状にした状態で、矢印ａ方向に腕に通す。そして、帯状体１０１の他端部を矢印ｂ方向に引っ張って腕を締め付け、帯状体１０１を折り返して面ファスナ１０３で着脱可能に貼り合わせる。これにより、腕帯１００は腕に固定される。
【先行技術文献】
【特許文献】
【０００５】
【特許文献１】特許第４１５３９７２号公報
【特許文献２】実開平５−０３９５０４号公報
【発明の概要】
【発明が解決しようとする課題】
【０００６】
しかしながら、従来の腕帯１００では、帯状体１０１の他端部を矢印ｂ方向に引っ張っている最中に帯状体１０１から手を離すと、腕帯１００が緩い状態で腕に固定されるという不具合がある。
【０００７】
図１０は、腕帯１００に緩みが生じる原因を説明するための図である。図１０では、図９の矢印ａ方向から見たときの腕帯１００の一部を示している。図１０に示すように、帯状体１０１を矢印ｂ方向に引っ張っている最中に帯状体１０１から手を離す（図中×印）と、留め金具１０２の部分で２重になった帯状体１０１の間には隙間ｓがあるため、帯状体１０１が矢印ｃ方向に動いてしまう。すると、腕帯１００の環が広がって、腕帯１００が緩い状態で腕に固定されることがある。このように腕帯１００が緩く固定された状態で血圧を測定すると、正確な血圧値を求めることができない。
【０００８】
そこで、本発明は、取付け時には手を離しても緩まずに取り付けることができ、取外し時には容易に取り外すことができる血圧計の腕帯を提供することを目的とする。
【課題を解決するための手段】
【０００９】
本発明の血圧計の腕帯は、空気袋を内蔵した帯状体と、帯状体の長手方向の一端部側に設けられ、帯状体の長手方向の他端部が挿入される環状の留め金具と、帯状体の一端部と留め金具との間に設けられた突起部とを有し、帯状体の他端部が留め金具に挿入され、留め金具を挟んで帯状体が折り返されたときに、留め金具は突起部に向けて倒され、かつ突起部との間で帯状体を保持し、折返しをやめたときに、留め金具は突起部に対して持ち上げられて帯状体を解放することを特徴とする。
【００１０】
上記の血圧計の腕帯では、突起部は、留め金具に沿って帯状体の幅方向に設けられていることが好ましい。
【００１１】
上記の血圧計の腕帯では、突起部は、留め金具が取り付けられている位置における帯状体の凸部以上の高さを有することが好ましい。
【００１２】
上記の血圧計の腕帯では、留め金具は、帯状体の凸部以上の高さの位置で突起部に接触することが好ましい。
【００１３】
また、本発明の血圧計の腕帯は、空気袋を内蔵した帯状体と、帯状体の長手方向の一端部側に設けられ、帯状体の長手方向の他端部が挿入される環状の留め金具と、帯状体の一端部と留め金具との間に設けられた突起部とを有し、留め金具は、帯状体の面に対する角度を変更可能であり、突起部に向けて倒されたときに突起部に接触することを特徴とする。
【００１４】
また、本発明の装着部品は、空気袋を内蔵した帯状体、および帯状体の面に対する角度を変更可能に帯状体の長手方向の一端部側に設けられ帯状体の長手方向の他端部が挿入される環状の留め金具を有する血圧計の腕帯に装着される装着部品であって、帯状体に装着されたときに、帯状体の一端部に向けて倒された留め金具に接触する位置に配置される突起部を有することを特徴とする。
【００１５】
また、本発明の血圧計は、上記の何れかの腕帯を有することが好ましい。
【発明の効果】
【００１６】
上記の腕帯、装着部品および血圧計によれば、腕帯の取付け時には手を離しても緩まずに取り付けることができ、取外し時には容易に取り外すことができる。
【図面の簡単な説明】
【００１７】
【図１】腕帯１０の展開図および側面図である。
【図２】腕帯１０を腕に取り付けるときの留め金具１２と突起部１４の作用を説明するための図である。
【図３】腕帯１０を腕から取り外すときの留め金具１２と突起部１４の作用を説明するための図である。
【図４】留め金具１２と突起部１４の好ましい位置関係の例を示す図である。
【図５】留め金具１２と突起部１４の好ましくない位置関係の例を示す図である。
【図６】突起部の形状の例を示した図である。
【図７】腕帯１０’の展開図である。
【図８】突起部１４を有さない腕帯１００に装着される装着部品２０の斜視図である。
【図９】従来の腕帯１００を腕に巻き付けるときの状態を示す斜視図である。
【図１０】腕帯１００に緩みが生じる原因を説明するための図である。
【発明を実施するための形態】
【００１８】
以下、図面を参照しつつ、腕帯、装着部品および血圧計について説明する。ただし、本発明が図面または以下に記載される実施形態に限定されるものではないことを理解されたい。
【００１９】
図１（Ａ）および図１（Ｂ）は、それぞれ腕帯１０の展開図および側面図である。腕帯１０は、血圧計用の腕帯（カフ）てあり、血圧測定時に例えば使用者の上腕に巻き付けられる。腕帯１０は、帯状体１１と、留め金具１２と、面ファスナ１３と、突起部１４と、空気袋１５と、連結部１６とを有する。
【００２０】
帯状体１１は、空気袋１５を内蔵した略長方形状の部材である。帯状体１１は、例えば、２枚の樹脂製の布で空気袋１５を挟み、それらの布の周縁部を縫合することにより作られる。空気袋１５は、帯状体１１の長手方向（矢印Ｌ方向）の略中央から一端部Ｅ１側の領域に配置されている。また、空気袋１５の表側の面には、血圧計の空気管に連結される連結部１６が形成されており、連結部１６は、帯状体１１の表面を貫通して外側に露出している。
【００２１】
留め金具１２は、丸鋼で構成された環状体であり、帯状体１１の長手方向の一端部Ｅ１側に、一端部Ｅ１と平行に取り付けられている。帯状体１１の一端部Ｅ１と留め金具１２は、上腕に巻き付けやすいように帯状体１１の長辺に対して約８０度の角度をなし、斜めになっている。留め金具１２には、帯状体１１の長手方向の他端部Ｅ２が挿入される。
【００２２】
留め金具１２は、長手方向に移動しないように、例えば帯状体１１を構成する樹脂製の布によってその半分が挟まれた状態で、縫合などにより帯状体１１に固定されている。ただし、留め金具１２は、帯状体１１に固定された側を軸として矢印Ｃ方向に回転することができ、帯状体１１の面に対する角度を変更可能である。このため、留め金具１２は、挿入された帯状体１１の他端部Ｅ２が引っ張られると、その動きに応じて引張り方向に倒れ、帯状体１１の面に対する角度を変える。
【００２３】
面ファスナ１３は、留め金具１２に挿入され、留め金具１２を挟んで折り返された帯状体１１の他端部Ｅ２を固定する。面ファスナ１３は、帯状体１１の他端部Ｅ２側の表面に縫合されたフック面１３１と、フック面１３１の隣から一端部Ｅ１付近にわたって帯状体１１の表面に縫合されたループ面１３２とを有する。面ファスナ１３により、腕帯１０を片手で容易に着脱することが可能になる。
【００２４】
突起部１４は、帯状体１１の長手方向の一端部Ｅ１側に、留め金具１２に沿って帯状体１１の幅方向（矢印Ｗ方向）に設けられた細長い突起である。突起部１４は、一端部Ｅ１と留め金具１２の間で、留め金具１２が突起部１４に向けて倒されたときに留め金具１２に接触する位置に配置されている。突起部１４は、例えば、帯状体１１を構成する樹脂製の布によって樹脂製または金属製の円筒部材を挟むことにより形成される。
【００２５】
図２（Ａ）〜図２（Ｅ）は、腕帯１０を腕に取り付けるときの留め金具１２と突起部１４の作用を説明するための図である。
【００２６】
図２（Ａ）は、帯状体１１の他端部Ｅ２が留め金具１２に挿入されて巻かれた腕帯１０を横から見た図である。また、図２（Ｂ）は、図２（Ａ）に示す留め金具１２付近の拡大図である。図２（Ａ）および図２（Ｂ）に示すように、帯状体１１が留め金具１２に挿入されて矢印Ａ方向に引っ張られると、留め金具１２は、それに応じて矢印Ｃ２方向に回転し、突起部１４とは反対側に倒れる。
【００２７】
図２（Ｃ）は、図２（Ａ）の状態から、矢印Ａ方向と反対の矢印Ｂ方向に帯状体１１の他端部Ｅ２を引っ張ったときの腕帯１０を示す。また、図２（Ｄ）および図２（Ｅ）は、図２（Ｃ）に示す留め金具１２付近の拡大図である。図２（Ｃ）および図２（Ｄ）に示すように、帯状体１１が矢印Ｂ方向に引っ張られると、留め金具１２は、それに応じて矢印Ｃ２方向と反対の矢印Ｃ１方向に回転し、突起部１４に向けて倒れ、帯状体１１を間に挟んで突起部１４に接触する。
【００２８】
帯状体１１の他端部Ｅ２を矢印Ｂ方向に引っ張ることにより、図２（Ｃ）に示す腕帯１０の環が狭められ、腕帯１０が腕に取り付けられる。腕帯１０には突起部１４が設けられているため、図１０に示す腕帯１００の場合とは異なり、このとき留め金具１２と帯状体１１の間に隙間は生じない。さらに、留め金具１２と突起部１４が帯状体１１を間に挟んで接触しているため、図２（Ｅ）に示す接点Ｐにおいて帯状体１１が保持される。このため、使用者が途中で腕帯１０から手を放しても、腕帯１０の環が緩む矢印Ｄ方向への帯状体１１の移動は妨げられる。したがって、留め金具１２と突起部１４により、取付け時には、手を離しても緩まずに腕帯１０を取り付けることが可能になる。このように、腕帯１０の取付け時には、留め金具１２と突起部１４は、帯状体１１を挟んで留め、腕帯１０の緩みを防止するストッパとして作用する。
【００２９】
図３（Ａ）〜図３（Ｃ）は、腕帯１０を腕から取り外すときの留め金具１２と突起部１４の作用を説明するための図である。
【００３０】
図３（Ａ）は、図２（Ｃ）に示す状態から、帯状体１１の他端部Ｅ２を矢印Ｆ方向に動かして帯状体１１の折返しをなくしたときの腕帯１０を横から見た図を示す。また、図３（Ｂ）は、図３（Ａ）に示す留め金具１２付近の拡大図である。図３（Ａ）および図３（Ｂ）に示すように、帯状体１１の他端部Ｅ２が矢印Ｆ方向に引っ張られると、留め金具１２は、それに応じて再び矢印Ｃ２方向に回転し、突起部１４に対して持ち上げられる。
【００３１】
このように留め金具１２が動くことで、図３（Ｂ）に示すように、留め金具１２と帯状体１１の間に隙間Ｓが生じ、帯状体１１が解放される。このため、図３（Ｃ）に示すように、留め金具１２に挿入されている帯状体１１の部分を矢印Ｇ方向に容易に動かして、腕帯１０の環を緩めることができる。すなわち、取外し時には、図１０の腕帯１００と同じ外し方で腕帯１０を取り外すことが可能になる。このように、腕帯１０の取外し時には、留め金具１２と突起部１４は、腕帯１０の緩みを防止するストッパとしては作用しない。
【００３２】
図４（Ａ）〜図４（Ｃ）は、留め金具１２と突起部１４の好ましい位置関係の例を示す図である。これらの図では、留め金具１２の付近における腕帯１０の縦断面を示す。
【００３３】
突起部１４の高さと位置は、留め金具１２の穴の大きさに応じて設定される。その際は、留め金具１２と突起部１４の接点Ｐが、帯状体１１の凸部１１１の上端以上の高さになるように、突起部１４の高さと位置を設定することが好ましい。凸部１１１とは、留め金具１２が帯状体１１に取り付けられている位置における帯状体１１の突出部分を指す。
【００３４】
すなわち、留め金具１２を突起部１４に向けて倒したときに、凸部１１１の上端以上の高さで留め金具１２が突起部１４に接触する（突起部１４の上に載る）ように、帯状体１１の長手方向における突起部１４の位置を設定することが好ましい。特に、図４（Ａ）に示すように、留め金具１２を突起部１４に向けて倒したときに、突起部１４の上端と、帯状体１１に固定されていない側の留め金具１２の下端とが接触するような位置が最も好ましい。接点Ｐが凸部１１１の上端以上の高さであれば、図４（Ａ）および図４（Ｂ）に示すように、突起部１４は凸部１１１に接触してもよいし、図４（Ｃ）に示すように、突起部１４と凸部１１１の間に隙間があってもよい。また、接点Ｐが凸部１１１の上端以上の高さであれば、接点Ｐは、図４（Ｂ）に示すように、突起部１４の上端より一端部Ｅ１側にあってもよいし、図４（Ｃ）に示すように、突起部１４の上端より凸部１１１側にあってもよい。
【００３５】
また、接点Ｐが凸部１１１の上端以上の高さになるためには、図４（Ａ）〜図４（Ｃ）に示すように、帯状体１１の面からの突起部１４の高さＨ１が凸部１１１の高さＨ２以上であることが好ましい。
【００３６】
図５（Ａ）および図５（Ｂ）は、留め金具１２と突起部１４の好ましくない位置関係の例を示す図である。これらの図も、留め金具１２の付近における腕帯１０の縦断面を示す。
【００３７】
図５（Ａ）に示すように、突起部１４が凸部１１１に近過ぎると、留め金具１２が突起部１４に向けて倒されたときに、留め金具１２の穴に突起部１４がはまってしまい、凸部１１１の上端より接点Ｐが低くなる。また、図５（Ｂ）に示すように、突起部１４が凸部１１１から遠過ぎても、留め金具１２が突起部１４に向けて倒されたときに、突起部１４と凸部１１１の間に留め金具１２がはまってしまい、やはり凸部１１１の上端より接点Ｐが低くなる。いずれの場合でも、腕帯１０の取外し時に留め金具１２が突起部１４に対して持ち上げられにくくなってしまうため、帯状体１１が解放されず、帯状体１１を動かしにくくなる。よって、突起部１４の位置は、上記の通り、留め金具１２を突起部１４に向けて倒したときに凸部１１１の上端以上の高さで留め金具１２が突起部１４に接触するように設定することが好ましい。
【００３８】
なお、図２（Ａ）〜図５（Ｂ）では、いずれも上端が丸い形状を有する突起部１４を示しているが、高さと位置が上記の条件を満たしていれば、突起部の形状は丸型には限定されない。
【００３９】
図６（Ａ）および図６（Ｂ）は、突起部の形状の例を示した図である。これらの図も、留め金具１２の付近における腕帯１０の縦断面を示す。例えば、突起部１４に代えて、図６（Ａ）に示すような断面が三角に尖った（すなわち、三角柱の）突起部１４を使用してもよいし、図６（Ｂ）に示すような断面が矩形の（すなわち、四角柱の）突起部１４ｂを使用してもよい。
【００４０】
また、腕帯１０では帯状体１１の幅方向の全体に突起部１４が伸びているが、留め金具１２と突起部で帯状体１１を挟んだときに腕帯の緩みを防止できる程度の負荷を帯状体１１に与えられるならば、帯状体１１の幅方向の一部分のみに１個または複数個の突起部を設けてもよい。
【００４１】
図７は、腕帯１０’の展開図である。図７に示す腕帯１０’は、図１（Ａ）に示す腕帯１０と同様のものであるが、帯状体１１の幅方向の３か所に、互いに間隔を空けて留め金具１２に沿って突起部１４ｃが設けられている。このように、帯状体１１の幅方向の一部分のみに突起部を設けてもよい。
【００４２】
以上説明したように、腕帯１０は、帯状体１１の長手方向の一端部Ｅ１側に、留め金具１２および細長い突起部１４を有する。留め金具１２は、帯状体１１の他端部Ｅ２が挿入され、その留め金具１２を挟んで帯状体１１が折り返されたときに、突起部１４に向けて倒され、かつ突起部１４との間で帯状体１１を保持する（すなわち、帯状体１１に負荷を与える）。これにより、使用者が腕帯１０を腕に巻いて取り付けるときには、意図しない腕帯１０の緩みを防止することが可能になる。また、留め金具１２は、帯状体１１の折返しをやめたときに、突起部１４に対して持ち上げられて帯状体１１を解放する（すなわち、帯状体１１への負荷を取り除く）。これにより、使用者が腕帯１０を取り外すときには、従来の腕帯と同じ外し方で、腕帯１０の環を容易に広げることが可能になる。
【００４３】
なお、腕帯１０は、上腕式の血圧計に限らず、手首式などを含むどのような血圧計にも適用可能である。
【００４４】
図８は、突起部１４を有さない腕帯１００に装着される装着部品２０の斜視図である。腕帯１００は、図示しない空気袋を内蔵した帯状体１０１と、図示しない帯状体１０１の長手方向の他端部が挿入される環状の留め金具１０２とを有するが、図１の腕帯１０とは異なり突起部１４を有していない。留め金具１０２は、帯状体１０１の面に対する角度を変更可能に帯状体１０１の長手方向の一端部Ｅ１側に設けられている。
【００４５】
装着部品２０は、帯状体１０１と同じ厚さをもつ「コ」の字型の凹部２１と、上面に設けられた細長い突起部２４とを有する。装着部品２０は、凹部２１を帯状体１０１の一端部Ｅ１にはめ込むことにより、腕帯１００に装着される。突起部２４は、装着部品２０が帯状体１０１に装着された状態で、帯状体１０１の一端部Ｅ１に向けて留め金具１０２が倒されたときに、留め金具１０２に接触する位置に配置される。このような突起部２４を有する装着部品２０を装着すれば、突起部１４を有しない既存の血圧計の腕帯１００であっても、腕帯１０と同様の緩み防止の効果が得られる。
【符号の説明】
【００４６】
１０，１０’    腕帯
１１    帯状体
１１１    凸部
１２    留め金具
１４，１４ａ，１４ｂ，１４ｃ    突起部
１５    空気袋
２０    装着部品
Ｅ１    一端部
Ｅ２    他端部
Ｐ    接点
Ｓ    隙間
【図１】
2015188666.tif 000003
【図２】
2015188666.tif 000004
【図３】
2015188666.tif 000005
【図４】
2015188666.tif 000006
【図５】
2015188666.tif 000007
【図６】
2015188666.tif 000008
【図７】
2015188666.tif 000009
【図８】
2015188666.tif 000010
【図９】
2015188666.tif 000011
【図１０】
2015188666.tif 000012